(57)【要約】【課題】照明対象物での照射面の輪郭のうち、所望側の輪郭部分をぼかし、それ以外の側の輪郭部分をシャープにする。【解決手段】本発明の絞りユニット１７は、絞り板１７１を備える。絞り板１７１は、ＬＥＤの光軸方向に沿って貫通した複数の絞り窓１７３を有する。複数の絞り窓１７３の各々の開口面において、ＬＥＤの光軸が通過する基準位置Ｐ１から右側端部までの長さを右側の長さＨ１とし、複数の絞り窓１７３のうち、少なくとも１つの第１絞り窓１７３ｂは、他の第２絞り窓１７３ａと比べて、所定側の長さＨ１が異なる。【選択図】図４
2019140035.tif 000002
【特許請求の範囲】
【請求項１】
光源の光軸方向に沿って貫通した複数の絞り窓を有する絞り板を備え、
前記複数の絞り窓の各々の開口面において、前記光源の光軸が通過する基準位置から所定側の端部までの長さを所定側の長さとし、
前記複数の絞り窓のうち、少なくとも１つの第１絞り窓と他の第２絞り窓とでは、前記所定側の長さが異なる
ことを特徴とする絞りユニット。
【請求項２】
前記所定側とは、前記光源から放射されて前記複数の絞り窓を透過した光が形成する照射面の輪郭のうち、照度が徐々に変化する側の輪郭部分に対応する側である
請求項１に記載の絞りユニット。
【請求項３】
前記第１絞り窓は、２つ以上あり、
前記２つ以上の第１絞り窓は、互いに前記所定側の長さが異なる絞り窓を含む
請求項１又は２に記載の絞りユニット。
【請求項４】
前記２つ以上の第１絞り窓の各々の前記所定側の長さは、前記複数の絞り窓の配置における前記所定側の絞り窓ほど長い
請求項３に記載の絞りユニット。
【請求項５】
前記２つ以上の第１絞り窓は、前記絞り板における前記複数の絞り窓の配置においてランダムに配置されている
請求項３に記載の絞りユニット。
【請求項６】
前記少なくとも１つの第１絞り窓は、前記絞り板における前記複数の絞り窓の配置において前記所定側の場所に偏在するように配置されている
請求項１〜５のいずれか１項に記載の絞りユニット。
【請求項７】
前記絞り板は、１つの部材で構成された
請求項１〜６のいずれか１項に記載の絞りユニット。
【請求項８】
前記絞り板は、
前記光源の光軸方向に沿って貫通した第１貫通孔を有する第１部材と、
前記光軸方向に沿って貫通した第２貫通孔を有し、前記第１貫通孔の一部と前記第２貫通孔の一部とが前記光軸方向に沿って重なるように、前記第１部材と対向して配置される第２部材と、
を備え、
前記絞り窓は、前記第１貫通孔の一部と前記第２貫通孔の一部とが前記光軸方向に沿って重なった部分により構成された
請求項１〜６のいずれか１項に記載の絞りユニット。
【請求項９】
請求項１〜８のいずれか１項に記載の絞りユニットと、
前記光源と、を備える
ことを特徴とする照明器具。
【発明の詳細な説明】
【技術分野】
【０００１】
本発明は、一般に絞りユニット及び照明器具に関し、より詳細には、光源から放射された光を絞るための絞りユニット、及び当該絞りユニットを備えた照明器具に関する。
【背景技術】
【０００２】
従来例として、特許文献１記載のＬＥＤ照明装置を例示する。このＬＥＤ照明装置は、ＬＥＤと、ＬＥＤから発する光を反射させるための反射筒と、反射筒の前方に設けられた結像レンズと、反射筒と結像レンズとの間に設けられた制限開口部を有するアパーチャと、を備えている。
【０００３】
また、このＬＥＤ照明装置には、アパーチャの制限開口部の大きさを可変するための開口可変機構が設けられている。この開口可変機構は、略Ｌ字状の一対のアパーチャ部材を有しており、一対のアパーチャ部材の内側に矩形状の制限開口部が形成されている。この従来例によれば、開口可変機構を通じて制限開口部の大きさを変えることで、所定の照明範囲の大きさを調節することができる。
【先行技術文献】
【特許文献】
【０００４】
【特許文献１】特開２０１２−１４８５３号公報
【発明の概要】
【発明が解決しようとする課題】
【０００５】
ところで、所定の照明範囲とその周囲との境界は、照射面の輪郭を形成する。その照射面の輪郭のうち、所望側（例えば右側及び下側）の輪郭部分をぼかし、それ以外の他の側（例えば上側及び左側）の輪郭部分をシャープにするように、照明対象物を照らしたいと要望されることがある。しかしながら、特許文献１記載のＬＥＤ照明装置におけるアパーチャの制限開口部では、上述のように、照射面の輪郭のうち、所望側の輪郭部分をぼかし、それ以外の他の側の輪郭部分はシャープにすることができなかった。
【０００６】
本発明は、上記事由に鑑みてなされ、照明対象物での照射面の輪郭のうち、所望側での輪郭部分をぼかし、それ以外の側の輪郭部分はシャープにすることができる絞りユニット、及び照明器具を提供することを目的とする。
【課題を解決するための手段】
【０００７】
本発明の一態様に係る絞りユニットは、絞り板を備える。前記絞り板は、光源の光軸方向に沿って貫通した複数の絞り窓を有する。前記複数の絞り窓の各々の開口面において、前記光源の光軸が通過する基準位置から所定側の端部までの長さを所定側の長さとし、前記複数の絞り窓のうち、少なくとも１つの第１絞り窓では、他の第２絞り窓と比べて、前記基準位置と前記所定側の端部との間の長さである所定側の長さが異なる。
【０００８】
本発明の一態様に係る照明器具は、上記の絞りユニットと、前記光源と、を備える。
【発明の効果】
【０００９】
本発明は、照明対象物での照射面の輪郭のうち、所望側の輪郭部分をぼかし、それ以外の側の輪郭部分をシャープにすることができる、という利点がある。
【図面の簡単な説明】
【００１０】
【図１】図１は、本発明の一実施形態に係る絞りユニットを備えた照明装置の分解斜視図である。
【図２】図２は、同上の照明装置の斜視図である。
【図３】図３は、同上の照明装置の平面図である。
【図４】図４Ａは、同上の絞りユニットにおける絞り板の平面図である。図４Ｂは、同上の絞りユニットの絞り窓の平面図である。
【図５】図５Ａは、同上の絞り板の１列目の絞り窓の平面図である。図５Ｂは、同上の絞り板の２列目の絞り窓の平面図である。図５Ｃは、同上の絞り板の３列目の絞り窓の平面図である。
【図６】図６は、同上の照明装置において第２光制御部材及び第２レンズ部材が取り外れた状態の平面図である。
【図７】図７は、同上の照明装置の断面図である。
【図８】図８Ａは、同上の照明装置を複数備えた照明器具の正面図である。図８Ｂは、同上の照明装置を複数備えた照明器具の側面図である。
【図９】図９は、同上の照明器具における照明ユニットの斜視図である。
【図１０】図１０Ａは、同上の照明器具による照射面の説明図である。図１０Ｂは、比較例の照射面の説明図である。図１０Ｃは、同上の照明器具と比較例との各々の照射面の照度を表すグラフを示す図である。
【図１１】図１１は、同上の照明器具による照射面の説明図である。
【図１２】図１２は、同上の絞りユニットの変形例２における絞り板の平面図である。
【図１３】図１３は、同上の絞りユニットの変形例３における絞り板の平面図である。
【図１４】図１４Ａは、同上の絞りユニットの変形例４における絞り板の分解斜視図である。図１４Ｂは、変形例４における絞り板の平面図である。
【図１５】図１５Ａは、変形例４における第１絞り板の第１貫通孔の平面図である。図１５Ｂ、図１５Ｃ、図１５Ｄは、それぞれ、変形例４における第２絞り板の第２貫通孔の平面図である。
【図１６】図１６Ａ、図１６Ｂ、図１６Ｃは、それぞれ、変形例４における絞り板の絞り窓の平面図である。
【図１７】図１７は、変形例４における照明器具による照射面の説明図である。
【発明を実施するための形態】
【００１１】
（１）概要  
以下の実施形態は、本発明の様々な実施形態の一つに過ぎない。以下の実施形態は、本発明の目的を達成できれば、設計等に応じて種々の変更が可能である。
【００１２】
本実施形態の絞りユニット１７は、図１に示すように、例えば、光源として複数個のＬＥＤ（Light Emitting Diode）１００を備える照明装置Ｘ１に用いられる。また、本実施形態の照明器具Ｙ１は、図８Ａ及び図８Ｂに示すように、例えば、縦横に並べられた複数（図示例では４つ）の照明装置Ｘ１と、複数の照明装置Ｘ１を支持する器具本体２と、を備える。本実施形態の照明器具Ｙ１は、一例として、投光器である。
【００１３】
以下の説明では、特に断りのない限り、絞りユニット１７及び照明装置Ｘ１の上下、左右、前後の方向を、図１に図示されている上下、左右、前後の矢印を用いて規定して説明する。これらの矢印は、単に説明を補助する目的で記載しているに過ぎず、実体を伴わない。また、上記の方向の規定は、本実施形態の絞りユニット１７及び照明器具Ｙ１の使用形態を限定する趣旨ではない。
【００１４】
絞りユニット１７は、図１に示すように、絞り板１７１を備えている。絞り板１７１は、複数の絞り窓１７３を有している。絞り窓１７３は、ＬＥＤ１００の光軸方向（図７の破線矢印で示された光Ｎ１を参照）に沿って貫通する。複数の絞り窓１７３は、複数の光源（ＬＥＤ１００）に一対一に対応する。各絞り窓１７３は、対応するＬＥＤ１００から放射される光を絞るための窓を構成する（図４Ａ参照）。以後、ＬＥＤ１００（すなわち光源）から放射される光を光源光と記載する。
【００１５】
本実施形態では、絞り板１７１は、板状の部材であるが、特に板状の部材に限定されない。ただし、絞り窓１７３の形成の容易性を考慮すれば、少なくとも絞り窓１７３が形成される領域は、比較的薄い板状であることが望ましい。
【００１６】
本実施形態では、一例として、絞り窓１７３の開口面の形状は、図４Ｂに示すように、四角形状であるが、四角形状に限定されない。
【００１７】
また、本実施形態では、上述したように、絞りユニット１７は、複数の光源（ＬＥＤ１００）にそれぞれ一対一で対応するように複数の絞り窓１７３を有している。例えば、本実施形態では、照明装置Ｘ１には、例えば２２個の光源（ＬＥＤ１００）が備えられており、絞り窓１７３は、光源と同数の２２個設けられている。以下、「複数の絞り窓１７３」とは、２２個の絞り窓１７３を意味する。
【００１８】
なお、絞り窓１７３の数は２２個に限定されない。例えば、光源の数が１つであれば、絞り窓１７３の数も１つであってもよいし、あるいは光源の数と絞り窓１７３の数とが不一致であってもよい。つまり、複数の絞り窓１７３は、複数の光源（ＬＥＤ１００）に一対一に対応することに限定されない。例えば、１つの光源が２以上の絞り窓１７３に対応してもよい。また、１つの絞り窓１７３が２以上の光源に対応してもよい。要するに、複数の光源のうちの少なくとも１つが２以上の絞り窓１７３に対応してもよい。また、複数の絞り窓１７３のうちの少なくとも１つが２以上の光源に対応してもよい。
【００１９】
複数の絞り窓１７３は、図４Ａに示すように、絞り板１７１において、互いに間隔を空けて縦横に配置されている。より詳細には、複数の絞り窓１７３は、一例として、千鳥配列となるように配置されている。なお、千鳥配列とは、複数の絞り窓１７３の縦横配列において、その偶数番目の行又は奇数番目の行が横方向に半ピッチずれた配列である。複数の絞り窓１７３の各々の裏側に、対応する光源が配置される。
【００２０】
なお、以下の説明で、絞り窓１７３の縦横配列の行及び列を数えるときは、図４Ａに示すように、右端から左端に向かって１列目、２列目、…と数え、上端から下端に向かって１行目、２行目、…と数えるものとする。また、１列目、２列目、３列目、…の絞り窓１７３を、それぞれ、絞り窓１７３Ａ、絞り窓１７３Ｂ、絞り窓１７３Ｃ、…とも記載する。
【００２１】
複数の絞り窓１７３は、図４Ａ、４Ｂ及び図５Ａ〜図５Ｃに示すように、全て、四角形であるが、全て、同じ形状の四角形ではない。すなわち、複数の絞り窓１７３のうち、２以上の絞り窓１７３ｂ（第１絞り窓）は、絞り窓１７３ｂ以外の他の絞り窓１７３ａ（第２絞り窓）と比べて、上下方向の長さＬ０は同じであるが、左右方向の長さＨ０は異なっている。すなわち、各絞り窓１７３ｂは、他の絞り窓１７３ａと比べて、右側の長さＨ２が同じで、左側の長さＨ１（所定側）が異なっている。換言すれば、各絞り窓１７３ｂとは、複数の絞り窓１７３のうち、絞り窓１７３ｂ以外の他の絞り窓１７３ａと比べて、左側の長さＨ１（所定側の長さ）だけが異なる絞り窓である。そして、他の絞り窓１７３ａとは、複数の絞り窓１７３のうち、絞り窓１７３ｂ以外の残りの絞り窓であって、互いに同形状で同寸法の絞り窓である。なお、絞り窓１７３ｂは、２つ以上に限定されず、少なくとも１つであればよい。
【００２２】
なお、絞り窓１７３ｂの長さが異なる側である左側（所定側）は、後述のように、光源から照射されて複数の絞り窓１７３を透過した光源光が形成する照射面の輪郭のうち、照度が徐々に変化する側の輪郭部分に対応する側である。
【００２３】
なお、図４Ｂに示すように、右側の長さＨ２は、絞り窓１７３の開口面において、基準位置Ｐ１から右側端部までの長さである。左側の長さＨ１は、絞り窓１７３の開口面において、基準位置Ｐ１から左側端部までの長さである。基準位置Ｐ１は、絞り窓１７３の開口面において、対応する光源（ＬＥＤ１００）の光軸が通過する位置である。言い換えると、基準位置Ｐ１は、光軸方向において、対応する光源（ＬＥＤ１００）の中心と重なる位置である。
【００２４】
なお、本実施形態では、一例として、複数の絞り窓１７３のうち、１列目の２個の絞り窓１７３Ａが、上記の他の絞り窓１７３ａである。また、複数の絞り窓１７３のうち、残りの絞り窓１７３（すなわち２列目以降の２０個の絞り窓１７３Ｂ，１７３Ｃ，…）が、上記の２つ以上の絞り窓１７３ｂである。以下、本実施形態では、「２つ以上の絞り窓１７３ｂ」とは、上記の２０個の絞り窓１７３Ｂ，１７３Ｃ，…を意味し、「他の絞り窓１７３ａ」とは、上記の２個の絞り窓１７３Ａを意味する。
【００２５】
なお、複数の絞り窓１７３のうち、どの絞り窓を、２つ以上の絞り窓１７３ｂとし、他の絞り窓１７３ｂとするかの決め方は、上記のような決め方に限定されない。また、本実施形態では、同じ列に含まれる絞り窓１７３の開口面の形状は、互いに同形状で同寸法であるが、このように限定されない。
【００２６】
絞り窓１７３の具体的な寸法については、一例として、全ての絞り窓１７３において、上下方向の長さＬ０は３．５［ｍｍ］であり、右側の長さＨ２は３．０［ｍｍ］である。絞り窓１７３の左側の長さＨ１については、１列目の絞り窓１７３Ａ（１７３ａ）が３．０［ｍｍ］であり、２列目の絞り窓１７３Ｂ（１７３ｂ）は３．１［ｍｍ］であり、３列目の絞り窓１７３Ｃ（１７３ｂ）は３．２［ｍｍ］である。以下同様に、絞り窓１７３の左側の長さＨ１は、列が左側に１つずれる毎に、一定の長さ（例えば０．１［ｍｍ］）ずつ増加している。
【００２７】
したがって、本実施形態では、２つ以上の絞り窓１７３ｂは、互いに左側の長さＨ１（所定側の長さ）が異なる絞り窓１７３を含んでいる。そして、２つ以上の絞り窓１７３ｂの各々の左側の長さＨ１は、左側の絞り窓１７３ｂほど、長くなっている。特に、本実施形態では、複数の絞り窓１７３（すなわち全ての絞り窓１７３）の各々の左側の長さＨ１は、左側の絞り窓１７３ほど、長くなっている。
【００２８】
なお、上記の「複数の絞り窓１７３の各々の左側の長さＨ１は、左側の絞り窓１７３ほど、長くなっている。」とは、左側の絞り窓１７３ほど、必ず、長くなるという意味ではなく、全体的な傾向として、左側の絞り窓１７３ほど、長くなっているという意味である。したがって、絞り窓１７３の左側の長さＨ１が左側の絞り窓１７３ほど単調に長くなるだけでなく、絞り窓１７３の左側の長さＨ１が左側の絞り窓１７３ほど長くなる場合に、その途中で左側の長さＨ１が同じ長さである絞り窓１７３が介在してもよい。又は、その途中で左側の長さＨ１が短くなる絞り窓１７３が介在してもよい。全体的な傾向として左側の絞り窓１７３ほど左側の長さＨ１が長くなればよい。上記の「２つ以上の絞り窓１７３ｂの各々の左側の長さＨ１は、左側の絞り窓１７３ｂほど、長くなっている。」の意味も同様である。
【００２９】
このような絞りユニット１７を備えた照明装置Ｘ１では、複数の絞り窓１７３の各々を透過した光源光による個別の照射面が、照明対象物において、それら個別の照射面における基準位置Ｐ１に対応する位置を略一致させた状態で重なり合うことで、照明対象物が照らされる。したがって、光源光による照明対象物での照射面は、上記の個別の照射面の重ね合わせによって形成される。なお、本実施形態では、１つの絞り窓１７３による照射面を「個別の照射面」と記載し、複数の絞り窓１７３の全部による照射面を単に「照射面」と記載する。この場合、「照射面」は、「個別の照射面」の重ね合わせによって形成される。なお、後述するように、照射装置Ｘ１の光学系によって、光源光による像は、上下左右反転する。この反転を考慮すると、個別の照射面の形状は、対応する絞り窓１７３の開口面の形状に対して上下左右反転した形状となる。
【００３０】
そして、上述の通り、絞りユニット１７では、複数の絞り窓１７３のうち、２つ以上の絞り窓１７３ｂは、他の絞り窓１７３ａと比べて、左側の長さＨ１が異なる（本実施形態では、長い）。このため、照明対象物での照射面の右側の端部（すなわち、絞り窓１７３の左側に対応する側の端部）では、２つ以上の絞り窓１７３ｂによる個別の照射面と、他の絞り窓１７３ａによる個別の照射面とが互いにずれて重なり合わない。これにより、照明対象物の照射面の右側では、照射面の右側の端部に近づくにつれて照度が低下していく。したがって、照明対象物での照射面のうち、右側の端部では、それ以外の他の部分と比べて照度が低下する。この結果、照明対象物での照射面の輪郭のうち、右側の輪郭部分は、他の輪郭部分と比べてぼかされる。すなわち、照明対象物での照射面の輪郭のうち、右側の輪郭部分をぼかして、他の輪郭部分はシャープにすることができる。
【００３１】
また、絞り窓１７３ｂは、２つ以上あり、２つ以上の絞り窓１７３ｂは、互いに左側の長さＨ１（所定側の長さ）が異なる絞り窓１７３ｂを含んでいる。特に、本実施形態では、絞り窓１７３ｂでは、左側の絞り窓１７３ｂほど、左側の長さＨ１が長い。このため、照明対象物での照射面の右側の端部において、絞り窓１７３ｂの各々による個別の照射面の間でも、重なりにずれが生じる。この結果、照明対象物での照射面の右側の輪郭部分に形成された上記のぼかしに、右側ほど徐々に暗くなるグラデーションを付けることができる。
【００３２】
なお、本実施形態では、複数の絞り窓１７３（すなわち全ての絞り窓１７３）において、左側の絞り窓１７３ほど、左側の長さＨ１が長い。このため、照明対象物での照射面の右側の端部において、複数の絞り窓１７３（すなわち全ての絞り窓１７３）の各々による個別の照射面の間で、重なりにずれを生じさせることができる。この結果、上記のグラデーションを、一層滑らかに変化させることができる。
【００３３】
なお、上記の説明では、絞り窓１７３ｂの左側の長さＨ１を長くする場合で説明したが、短くしてもよい。この場合も、照明対象物の右側の端部では、他の絞り窓１７３ａによる個別の照射面と、２つ以上の絞り窓１７３ｂによる個別の照射面とが互いにずれて重なり合わないため、上記と同様の効果を奏する。
【００３４】
また、上記の説明では、絞り窓１７３ｂの左側の長さＨ１を長くしたが、絞り窓１７３ｂの左側の長さＨ１、上側の長さＬ１、又は下側の長さＬ２を長くしてもよい。これらの場合、それぞれ、照射面の輪郭のうち、右側の輪郭部分、下側の輪郭部分、又は上側の輪郭部分がぼかされ、それ以外の輪郭部分は、シャープになる。
【００３５】
なお、図４Ｂに示すように、絞り窓１７３の上側の長さＬ１は、絞り窓１７３の開口面において、基準位置Ｐ１から上側の端部までの長さであり、下側の長さＬ２は、絞り窓１７３の開口面において、基準位置Ｐ１から下側の端部までの長さである。
【００３６】
また、上記の説明では、絞り窓１７３ｂにおいて、長さを異ならせる側は、左側だけであったが、絞り窓１７３ｂの右側、左側、上側及び下側のうち、２つ以上の側の長さを異ならしてもよい。なお、上記の説明では、絞り窓１７３は、略四角形であったが、多角形や円形などでもよい。この場合、絞り窓１７３において、長さを異ならせる側は、斜め上側などの斜め方向の側でもよい。
【００３７】
なお、本実施形態における「同形状」とは、幾何学上の「同形状」よりも広い意味で有り、視覚的に同じ形とみなせることが可能であればよい。同様に、「同寸法」とは、幾何学上の「同寸法」よりも広い意味で有り、視覚的に同じ寸法とみなせることが可能であればよい。
【００３８】
（２）詳細  
（２．１）照明装置の全体構成  
以下、本実施形態の絞りユニット１７を備えた照明装置Ｘ１について、図１〜図１１を参照して詳しく説明する。照明装置Ｘ１は、図１に示すように、絞りユニット１７以外に、例えば、ＬＥＤモジュール１０、第１レンズ部材１１、光制御部材１２、第２レンズ部材１３、及び支持部材１４を備える。
【００３９】
（２．２）ＬＥＤモジュール  
ＬＥＤモジュール１０は、図１に示すように、矩形板状のプリント配線板１０１と、複数個（図示例では２２個）のＬＥＤ１００とを有している。ただし、ＬＥＤ１００の個数は２２個に限定されない。プリント配線板１０１の四隅に、それぞれ円形の貫通孔１０１０が形成されている。ただし、左上隅の貫通孔１０１０の周縁の一部が切り欠かれて、プリント配線板１０１の縁部で開放している。
【００４０】
ＬＥＤ１００は、例えば、青色光を放射するＬＥＤチップと、ＬＥＤチップを収容する表面実装型のパッケージと、パッケージの一面から突出する樹脂部１０００とを有している（図７参照）。樹脂部１０００は、シリコーン樹脂のような透光性を有する合成樹脂によって半球状に形成されている。また、樹脂部１０００は、青色光を黄色光に変換する蛍光体が混入されている。したがって、ＬＥＤチップから放射される青色光の一部が蛍光体によって黄色光に変換される。つまり、ＬＥＤ１００は、青色光と黄色光を混色させることによって、白色光を放射するように構成されている。
【００４１】
これら２２個のＬＥＤ１００は、プリント配線板１０１の前面に形成されているパッドにはんだ接合されることによって、プリント配線板１０１の前面（以下、実装面という）に実装されている。また、プリント配線板１０１の実装面には、２つのレセプタクルコネクタ１０２が実装される。これら２つのレセプタクルコネクタ１０２の各々は、プリント配線板１０１の実装面に形成されているプリント配線（導体）を介して、１１個ずつのＬＥＤ１００の直列回路と電気的に接続されている。
【００４２】
（２．３）第１レンズ部材  
第１レンズ部材１１は、図１及び図７に示すように、ＬＥＤ１００と同数（２２個）の第１レンズ１１０と、第１支持部１１３とを有している。第１支持部１１３は、複数の第１レンズ１１０を支持している。各第１レンズ１１０は、図７に示すように、集光部１１１と反射部１１２を有している。集光部１１１は、コリメートレンズである。反射部１１２は、集光部１１１の入射面の周囲を囲むように筒状に形成されている。反射部１１２は、入射した光を内部全反射（internal total reflection）するように構成されている。複数の第１レンズ１１０と第１支持部１１３は、アクリル樹脂などの透光性を有する合成樹脂材料によって一体に形成されている。
【００４３】
（２．４）第２レンズ部材  
第２レンズ部材１３は、図１に示すように、ＬＥＤ１００と同数（２２個）の第２レンズ１３０と、第２支持部１３１とを有している。第２支持部１３１は、複数の第２レンズ１３０を支持している。各第２レンズ１３０は、図７に示すように、例えば平凸レンズである。複数の第２レンズ１３０と第２支持部１３１は、アクリル樹脂等の透光性を有する合成樹脂材料によって一体に形成されている。
【００４４】
（２．５）光制御部材  
光制御部材１２は、図１、図２及び図７に示すように、第１光制御部材１２０と第２光制御部材１２１とを含む。第１光制御部材１２０は、第１遮光部１２００と、第１レンズ１１０と同数（２２個）の第１透過部１２０１とを有している。第１光制御部材１２０は、第１透過部１２０１と同数（２２個）の第１筒部１２０２を、更に有している。第１遮光部１２００は、ＬＥＤ１００から放射される光を透過しない材料（例えば、透光性を有しない合成樹脂）によって、平板状に形成されている。複数の第１透過部１２０１の各々は、第１遮光部１２００を厚み方向に貫通する円形の孔である（図１及び図７参照）。また、複数の第１筒部１２０２は、複数の第１透過部１２０１に一対一に対応し、複数の第１筒部１２０２の各々は、第１遮光部１２００の前面において、対応する第１透過部１２０１の縁から前方へ突出している。さらに、複数の第１筒部１２０２の各々は、円管状であって、かつ、前方に向かうに連れて徐々に外径及び内径の両方の管径を小さくした形状に形成されている（図７参照）。
【００４５】
第１光制御部材１２０は、３つの第１ボス１２０３を更に有している（図１では２つのみ図示）。３つの第１ボス１２０３は、円筒形状であって、第１遮光部１２００の前面から前方へ突出ている。第１遮光部１２００、複数の第１筒部１２０２及び３つの第１ボス１２０３は、合成樹脂によって一体に形成されている。また、複数の第１透過部１２０１及び複数の第１筒部１２０２の内周面は、シボ（微細な凹凸：surface texture）等が形成されて光を拡散するように構成されている。
【００４６】
第２光制御部材１２１は、図１及び図７に示すように、第２遮光部１２１０と、第１透過部１２０１と同数（２２個）の第２透過部１２１１とを有している。第２光制御部材１２１は、第２透過部１２１１と同数（２２個）の第２筒部１２１２を、更に有している。第２遮光部１２１０は、ＬＥＤ１００から放射される光を透過しない材料（例えば、透光性を有しない合成樹脂）によって、平板状に形成されていることが好ましい。複数の第２透過部１２１１の各々は、第２遮光部１２１０を厚み方向に貫通する円形の孔である（図１及び図７参照）。また、複数の第２筒部１２１２は、複数の第２透過部１２１１に一対一に対応し、複数の第２筒部１２１２の各々は、第２遮光部１２１０の後面において、対応する第２透過部１２１１の縁から後方へ突出している（図７参照）。さらに、複数の第２筒部１２１２の各々は、円管状であって、かつ、後方に向かうに連れて外径及び内径の両方の管径を小さくした形状に形成されている（図７参照）。
【００４７】
第２光制御部材１２１は、３つの第２ボス１２１３を更に有している（図１参照）。３つの第２ボス１２１３は、半円筒形状であって、第２遮光部１２１０の後面から後方へ突出ている。第２遮光部１２１０、複数の第２筒部１２１２及び３つの第２ボス１２１３は、合成樹脂によって一体に形成されている。また、複数の第２透過部１２１１及び複数の第２筒部１２１２の内周面は、シボ（微細な凹凸：surface texture）等が形成されて光を拡散するように構成されている。
【００４８】
本実施形態では、図１に示すように、絞りユニット１７は、前後方向における第１光制御部材１２０と第２光制御部材１２１との間に配置されている。
【００４９】
（２．６）支持部材  
支持部材１４は、図１に示すように、ベース部１４０と、複数（図示例では５つ）の支柱１４１とを有している。ベース部１４０と５つの支柱１４１は、例えば、アルミダイカストによって一体に形成されている。ベース部１４０は、矩形の板状に形成されている。ベース部１４０は、図１に示すように、第１レンズ１１０と同数（２２個）の円形の貫通孔１４２を有している。また、ベース部１４０は、４つの段部１４３を有している（図１参照）。４つの段部１４３は、それぞれ、ベース部１４０の四隅に設けられており、ベース部１４０の前面から後面側に１段後退するように、ベース部１４０と一体に形成されている。さらに、ベース部１４０は、２つのボスを有している。一方のボスは、ベース部１４０の右上隅における後面から後方へ突出している。他方のボスは、矩形板状の突片１４５の後面から後方へ突出している。突片１４５は、ベース部１４０の下端における左右方向のほぼ中央から下向きに突出している。これら２つのボスは、前後方向に貫通するボルト挿通孔１４４を有している。５つの支柱１４１は、ベース部１４０の四隅及びベース部１４０のほぼ中央から前方へ突出している。５つの支柱１４１の各々の先端（前端）には、雌ねじ（ねじ孔）１４１０が形成されている（図１参照）。
【００５０】
（２．７）絞りユニット  
絞りユニット１７は、上の「（１）概要」の欄で説明したように、絞り板１７１を備えている（図１参照）。絞り板１７１は、ＬＥＤ１００から放射される光を透過しない材料（例えば金属、より詳細にはステンレス）によって形成されている。
【００５１】
絞り板１７１は、図４Ａに示すように、１つの部材によって、略矩形の板状に形成されている。絞り板１７１は、複数の絞り窓１７３を有している。複数の絞り窓１７３は、複数のＬＥＤ１００に一対一に対応する。各絞り窓１７３は、対応するＬＥＤ１００の光軸方向（図７の破線矢印で示された光Ｎ１を参照）、すなわち前後方向に沿って貫通する。各絞り窓１７３は、例えば板金レーザー加工によって形成される。
【００５２】
本実施形態では、絞り窓１７３は、ＬＥＤ１００と同数（２２個）設けられている。２２個の絞り窓１７３は、全て、前後方向に沿って見たときに、左右方向に長尺の略四角形に形成された輪郭を有している。当該四角形の４つの内角は、全て９０度である。したがって、複数の絞り窓１７３の製造時又は製造工程において、複数の絞り窓１７３は、比較的容易に形成可能であると言える。
【００５３】
各絞り窓１７３は、図７に示すように、対応するＬＥＤ１００の光軸が当該絞り窓１７３を通過するように位置関係が規定されている。
【００５４】
絞り板１７１は、支持部材１４の四隅にある４つの支柱１４１を逃がすための凹所１７１１（図４Ａ参照）を四隅にそれぞれ有している。絞り板１７１は、支持部材１４の略中央にある支柱１４１を逃がすための丸孔１７８を、絞り板１７１の略中央に有している。
【００５５】
さらに、絞り板１７１は、図４Ａに示すように、左縁、右縁及び下縁近くにそれぞれねじ挿通孔１７９を有している。ただし、左右２つのねじ挿通孔１７９は、周縁の一部が切り欠かれて、絞り板１７１の縁部で開放している。
【００５６】
また、絞り板１７１は、５つの丸い露出孔１７７を有している。露出孔１７７を通じて、第１光制御部材１２０と支持部材１４とをねじ締結するためにドライバー等を挿入することができる。
【００５７】
ところで、本実施形態では、絞り窓１７３の開口面の形状は、後の「（４）絞りユニットによる照射面」の欄で説明するように、一例として、ＬＥＤ１００の光軸方向から見たときの城の石垣の側面の外郭の形と相似する略四角形としている。ただし、絞り窓１７３の開口面の形は、照明対象物の外郭の形と相似する形であれば、特に限定されない。
【００５８】
（２．８）取付構造と位置関係  
以下、上述したＬＥＤモジュール１０、第１レンズ部材１１、光制御部材１２、第２レンズ部材１３、支持部材１４、及び絞りユニット１７の取付構造と位置関係とについて、主に図１〜図３、図６及び図７を参照しながら説明する。
【００５９】
ＬＥＤモジュール１０は、図１及び図２に示すように、後方から支持部材１４のベース部１４０に支持されている。すなわち、ベース部１４０の２つのボルト挿通孔１４４に、２本のボルト１４６（図３参照）がそれぞれ前方から通っている。２本のボルト１４６は、プリント配線板１０１に設けられている２つの孔１０１１にそれぞれ挿通され、プリント配線板１０１の後面（非実装面）側でナットとはめ合わされ、かつ、締め付けられている。つまり、ＬＥＤモジュール１０のプリント配線板１０１は、２組のボルト１４６とナットによって、ベース部１４０にねじ止め（ねじ締結）されている。ＬＥＤモジュール１０の各ＬＥＤ１００は、前方から見て、ベース部１４０における対応する貫通孔１４２のほぼ中心に位置している。
【００６０】
第１レンズ部材１１は、図１及び図２に示すように、前方から支持部材１４のベース部１４０に支持されている。ただし、第１レンズ部材１１の複数の第１レンズ１１０が、ベース部１４０の複数の貫通孔１４２に１つずつ挿通されている（図７参照）。第１レンズ部材１１の第１支持部１１３に設けられている３つの孔１１３０（図１参照）に、３本のねじがそれぞれ挿通されている。これら３本のねじは、ベース部１４０に設けられている３つの雌ねじ部１４００（図１参照）とそれぞれはめ合わされ、かつ、締め付けられている。つまり、第１レンズ部材１１は、３本のねじによって、ベース部１４０にねじ止め（ねじ締結）されている。各第１レンズ１１０の中心は、前方から見て、対応するＬＥＤ１００の樹脂部１０００（図７参照）の中心とほぼ重なっている。
【００６１】
光制御部材１２の第１光制御部材１２０は、図１及び図２に示すように、第１レンズ部材１１の前方から支持部材１４のベース部１４０に支持されている。第１光制御部材１２０の第１遮光部１２００に設けられている４つの孔に、４本のねじがそれぞれ挿通されている。これら４本のねじは、第１レンズ部材１１の第１支持部１１３に設けられている４つの孔１１３１にそれぞれ挿通されている。さらに、これら４本のねじは、ベース部１４０に設けられている４つの雌ねじ部１４０１（図１参照）とそれぞれはめ合わされ、かつ、締め付けられている。つまり、第１光制御部材１２０は、４本のねじによって、第１レンズ部材１１を介して、ベース部１４０にねじ止め（ねじ締結）されている。各第１透過部１２０１の中心は、前方から見て、対応する第１レンズ１１０の中心とほぼ重なっている。
【００６２】
絞りユニット１７は、図１及び図２に示すように、前方から第１光制御部材１２０に支持されている。絞りユニット１７において、３本のねじ１７４（図６参照）の各々が、絞り板１７１の対応するねじ挿通孔１７４に挿通されている。そして、３本のねじ１７４が第１光制御部材１２０の３つの第１ボス１２０３（図１参照）の先端にあるねじ孔にそれぞれ締結される。この結果、絞り板１７１が第１光制御部材１２０に取り付けられる。絞りユニット１７の各絞り窓１７３の中心は、前方から見て、第１光制御部材１２０の対応する第１透過部１２０１の中心とほぼ重なっている。第１光制御部材１２０に対する絞りユニット１７の安定性を考慮すれば、絞り板１７１の後面は、図７に示すように、複数の第１筒部１２０２の前端と接触していることが好ましい。
【００６３】
光制御部材１２の第２光制御部材１２１は、図１及び図２に示すように、絞りユニット１７の前方から、絞りユニット１７、第１光制御部材１２０及び第１レンズ部材１１を介して、支持部材１４の５つの支柱１４１に支持されている。具体的には、５本のねじ１２１５（図３参照）が、第２光制御部材１２１の第２遮光部１２１０に設けられている５つの孔１２１４にそれぞれ挿通されている。さらに、これら５本のねじ１２１５は、５つの支柱１４１の先端の雌ねじ１４１０とそれぞれはめ合わされ、かつ、締め付けられている。ベース部１４０の中央の支柱１４１は、第１レンズ部材１１の孔１１３２、第１光制御部材１２０の孔１２０４、絞り板１７１の丸孔１７８に挿通されている。各第２透過部１２１１の中心は、前方から見て、絞りユニット１７の対応する絞り窓１７３の中心とほぼ重なっている。第２光制御部材１２１の各第２ボス１２１３は、図２に示すように、前後方向に貫通しており、前方から見ると、絞りユニット１７を第１光制御部材１２０に締結するためのねじ１７４の頭部が第２ボス１２１３から露出している。本実施形態では、複数の第２筒部１２１２の後端は、図７に示すように、絞り板１７１の前面に対して、接触することなく所定の距離を空けて配置されている。これは、照明装置Ｘ１が例えば屋外で使用される場合、前方から入射した太陽光が集光して内部の温度が上昇してしまう可能性を低減するためである。ただし、照明装置Ｘ１が屋内で使用される場合には、第２筒部１２１２の後端と絞り板１７１の前面とは、接触していてもよい。
【００６４】
第２レンズ部材１３は、第２光制御部材１２１の前方から、支持部材１４の５つの支柱１４１に支持されている。第２レンズ部材１３の第２支持部１３１の四隅及び中央にそれぞれ設けられている５つの孔１３２（図１参照）に、５本のねじ１２１５がそれぞれ挿通されている（図３参照）。つまり、第２レンズ部材１３は、第２光制御部材１２１とともに、５本のねじ１２１５によって、５つの支柱１４１にねじ止め（ねじ締結）されている。各第２レンズ１３０の中心は、前方から見て、対応する第１レンズ１１０の中心とほぼ重なっている。
【００６５】
以下、上述の取付構造及び位置関係を有した照明装置Ｘ１における各ＬＥＤ１００から放射される光（光源光）について、図７を参照しながら説明する。
【００６６】
各ＬＥＤ１００から放射される光源光Ｎ１，Ｎ２，Ｎ３のうち、第１レンズ１１０の集光部１１１に入射した（光軸に一致する）光源光Ｎ１は、集光部１１１で集光されて第１レンズ１１０から出射する。ＬＥＤ１００から放射される光源光Ｎ１，Ｎ２，Ｎ３のうち、集光部１１１で集光されない光源光Ｎ２，Ｎ３は、反射部１１２で反射（内部全反射）されて第１レンズ１１０から出射する。これらの光源光（反射光）Ｎ２，Ｎ３は、集光部１１１で集光されて第１レンズ１１０から出射した光（集光光）Ｎ１と、第１透過部１２０１内で交差する。ただし、反射部１１２で反射されて第１レンズ１１０から出射する反射光のうち一部の反射光は、第１透過部１２０１、絞り窓１７３、及び第２透過部１２１１を透過（通過）しない。つまり、一部の反射光は、第１遮光部１２００、第１筒部１２０２、絞りユニット１７、第２遮光部１２１０又は第２筒部１２１２に遮光される。第１透過部１２０１、絞り窓１７３、及び第２透過部１２１１を透過（通過）した光（集光光及び反射光）は、第２レンズ１３０に入射する。そして、第２レンズ１３０に入射した光（集光光及び反射光）は、第２レンズ１３０から出射する際に屈折する。つまり、第２レンズ１３０から出射する光は、光制御部材１２及び絞りユニット１７によって不要な光（周辺の光）がカット（遮光）されている。さらに、第２レンズ１３０から出射する光は、第２レンズ１３０によって配光が制御されている。
【００６７】
なお、図７に示すように、光路のクロスポイント（放射光Ｎ１〜Ｎ３の交点）は、絞り窓１７３よりも第２レンズ部材１３側（つまり、絞り窓１７３と第２レンズ部材１３との間）にある。そのため、照明装置Ｘ１が実際に使用される時には、絞りユニット１７の絞り窓１７３の形状は、上下左右反転した形状の照射面を形成することになる。
【００６８】
（３）照明器具  
照明装置Ｘ１は、図８Ａ及び図８Ｂに示すように、例えば、照明器具（投光器）Ｙ１に用いられる。照明器具Ｙ１は、例えば、器具本体２、アーム３、及び電源ユニット４等を備えている。器具本体２は、複数（図示例では４台）の照明装置Ｘ１（すなわち絞りユニット１７及び光源１００）と、複数の照明装置Ｘ１を支持する筐体２５と、カバー２６とを有している。筐体２５は、ステンレス鋼板等の金属板により、前面が開放された箱状に形成されている。カバー２６は、枠体２７と、パネル２８とを有している。枠体２７は、ステンレス鋼板等の金属板により、矩形の枠状に形成されている。パネル２８は、透光性を有する合成樹脂（アクリル樹脂又はポリカーボネート樹脂）又はガラスにより、矩形の平板状に形成されている。パネル２８は、枠体２７に支持されている。カバー２６は、筐体２５の前面を覆うように筐体２５に取り付けられている。アーム３は、ステンレス鋼板などの金属板によってＵ字状に形成されている。アーム３の両端は、筐体２５の側壁にそれぞれねじ止めされている。つまり、筐体２５（器具本体２）は、アーム３によって回転可能に支持されている。電源ユニット４は、金属製のケース４１と、ケース４１内に収容されている電源装置とを有している。電源装置は、例えば、交流の電力系統から供給される交流電力を直流電力に変換する。ケース４１は、筐体２５の後面に取り付けられている（図８Ｂ参照）。
【００６９】
筐体２５は、照明ユニット１を収容している。照明ユニット１は、図９に示すように、複数の照明装置Ｘ１（図示例では４台）と、取付板１５と、複数の電源ケーブル１６とを備えている。なお、取付板１５は、アルミ板又は亜鉛鋼板等の金属板によって、矩形の平板状に形成されている。４台の照明装置Ｘ１は、上下左右に隣り合うように並べて、取付板１５の前面に取り付けられている。各照明装置Ｘ１は、支持部材１４の４つの段部１４３（図１参照）が取付板１５にねじ止め（ねじ締結）されている。したがって、照明装置Ｘ１は、取付板１５を介して筐体２５（図８Ａ参照）に支持されている。電源ケーブル１６は、複数本（図示例では４本）の電線と、これら４本の電線の先端に設けられているプラグコネクタとを有している。電源ケーブル１６は、ＬＥＤモジュール１０のレセプタクルコネクタ１０２と接続されている。そして、４台の照明装置Ｘ１には、電源ケーブル１６を介して電源ユニット４から直流電力が給電されている。
【００７０】
（４）絞りユニットによる照射面  
以下、上述した絞り窓１７３を有する絞りユニット１７による照射面の形状について、図１０Ａ〜図１０Ｃを参照しながら説明する。ここで言う照射面の形状とは、光源（ＬＥＤ１００）からの光源光によって照明される範囲（照明範囲）と光源光によって照明されない範囲（非照明範囲）との境界が作り出す輪郭である。以下では、照明器具（投光器）Ｙ１を用いた投光照明を例に挙げて説明する。
【００７１】
図１０Ａは、絞りユニット１７を備えた照明器具Ｙ１（図８Ａ及び図８Ｂ参照）からの光源光による照射面２０を図示している。図１０Ａに示すように、照射面２０は、横長の略四角形に形成されている。照射面２０の輪郭のうち、右側（すなわち絞り窓１７３の左側に対応する側）の輪郭部分２０ａは、ぼかされており、右側ほど徐々に暗くなっている。また、右側の輪郭部分には、ぼかしのグラデーションが形成されている。照射面２０のうち、他の側（左側、上側及び下側）の輪郭部分は、シャープな線になっている。
【００７２】
すなわち、上記の「（１）概要」で説明したように、絞りユニット１７では、複数の絞り窓１７３は、横長の略四角形に形成されている。そして、複数の絞り窓１７３のうち、２つ以上の絞り窓１７３ｂの左側の長さＨ１が、他の絞り窓１７３ａの左側の長さＨ１よりも長い。また、２つ以上の絞り窓１７３ｂの左側の長さＨ１は、絞り窓１７３の縦横配列において、左側に配置された絞り窓１７３ｂほど長い。
【００７３】
そして、照射面２０は、各絞り窓１７３を透過した光源光による個別の照射面が、それら個別の照射面における基準位置Ｐ１に対応する位置を略一致させた状態で重なり合うことで、形成される。個別の照射面の形状は、対応する絞り窓１７３の開口面の形状と上下左右反転を考慮した形に相似である。すなわち、絞り窓１７３ｂによる個別の照射面は、絞り窓１７３ａによる個別の照射面と比べて、右側の長さが長い。また、絞り窓１７３ｂによる個別の照射面では、対応する絞り窓１７３が、絞り窓１７３の縦横配列の左側に配置するほど、左側の長さが長い。
【００７４】
この結果、図１０Ａのように、照射面２０の右側の輪郭部分では、個別の照射面の重なり合う枚数が低下し、ぼかされている。その際、上記のように、絞り窓１７３ｂによる個別の照射面では、対応する絞り窓１７３が、絞り窓１７３の縦横配列の左側に配置するほど、左側の長さが長いため、ぼかしにグラデーションが形成されている。また、照射面２０の他の側（左側、上側及び下側）の輪郭部分は、個別の照射面の重なり合う枚数が減らないため、シャープになっている。
【００７５】
図１０Ｂは、比較例としての絞りユニットを備えた照明器具からの光源光による照射面２１を図示している。比較例としての絞りユニットは、絞りユニット１７において、複数の絞り窓１７３を全て同形状（例えば矩形）で同寸法に形成した絞りユニットである。比較例としての絞りユニットを備えた上記の照明器具は、照明器具Ｙ１において、絞りユニット１７が比較例としての絞りユニットに置き換えられた照明器具である。図１０Ｂに示すように、照射面２１の輪郭は、どの側（上側、下側、右側及び下側）の輪郭部分も、シャープになっている。
【００７６】
図１０Ｃは、照射面２０の照度を照射面２０の横幅方向（すなわち図１０Ａの二点鎖線Ｄ１）に沿って測定したグラフＡと、照射面２１の照度を照射面２１の横幅方向（すなわち図１０Ｂの二点鎖線Ｄ２）に沿って測定したグラフＢとを比較した図である。なお、同図の縦軸は照度［Ｌｘ（ルクス）］であり、横軸は照射面２０，２１の横方向の長さ［ｍ（メートル）］である。
【００７７】
図１０Ｃに示すように、照射面２０の右側の輪郭部分（すなわち横軸の４．５［ｍ］〜７．０［ｍ］の範囲）では、照度が緩やかに低下しており、ぼかしのグラデーションが形成されていることが分かる（図１０Ｃの特性Ａ参照）。他方、照射面２１の右側の輪郭部分（すなわち横軸の４．５［ｍ］〜５．０［ｍ］の範囲）では、照度がほぼ垂直に低下しており、シャープな線が形成されていることが分かる（図１０Ｃの特性Ｂ参照）。なお、照射面２０及び照射面２１の各々の左側の輪郭部分（すなわち横軸の−４．５［ｍ］〜−５．０［ｍ］の範囲）では、ともに、照度がほぼ垂直に低下して、シャープな線を形成していることが分かる。
【００７８】
よって、図１０Ａ〜図１０Ｃから、上記の「（１）概要」で説明したように、２以上の絞り窓１７３ｂにおいて、絞り窓１７３ｂ以外の他の絞り窓１７３ａと比べて左側の長さＨ１を異ならせることで、照射面２０の輪郭のうち、右側の輪郭部分をぼかすことができる。そして、他の側（すなわち左側、上側及び下側）の輪郭部分をシャープにすることができる。
【００７９】
（５）照明器具Ｙ１の使用例  
照明器具Ｙ１が投光照明する照明対象物は、図１１に示すように、一例として、建築物（例えば城の石垣）である。このような建築物の投光照明では、昼間には見られない立体感のある演出を実施することができる。
【００８０】
図１１に示すように、照明器具Ｙ１は、石垣の側面３０の左端３０ａ側を照らしている。石垣の側面３０は、略四角形である。より詳細には、石垣の側面３０の左端３０ａは、緩やかに下側ほど左側に傾斜している。照明器具Ｙ１から照射された照射面２２の形状は、石垣の側面３０の形状（略四角形）とほぼ同形状で同寸法である。照射面２２の左側の輪郭部分２２ａ及び上側の輪郭部分２２ｂは、シャープな線になっている。照射面２２の右側の輪郭部分２２ｃは、ぼかされており、右側ほど徐々に暗くなるグラデーションが形成されている。照射面の下側の輪郭部分２２ｄも、ぼかされており、下側ほど徐々に暗くなるグラデーションが形成されている。
【００８１】
この場合、照明器具Ｙ１の絞りユニット１７では、複数の絞り窓１７３の開口面の形状は、石垣の側面３０の形状に相似する形に形成されている。複数の絞り窓１７３のうち、２つ以上の絞り窓１７３ｂは、他の絞り窓１７３ａと比べて、上側（すなわち照射面２２の下側に対応する側）の長さＬ１及び左側（すなわち照射面２２の右側に対応する側）の長さＨ１が長い。２つ以上の絞り窓１７３ｂの左側の長さＨ１は、絞り窓１７３の縦横配列において左側に配置された絞り窓ほど、長い。２つ以上の絞り窓１７３ｂの上側の長さＬ１も、絞り窓１７３の縦横配列において上側に配置された絞り窓ほど、長い。
【００８２】
（６）変形例  
以下、上記の実施形態の絞りユニット１７の変形例について説明する。  
【００８３】
（変形例１）  
上記の実施形態では、照明対象物が、石垣の側面３０であったため、絞り窓１７３の開口面の形状は、石垣の側面４０の形状（略四角形）に相似する略四角形に形成されている。しかし、絞り窓１７３の開口面の形状は、略四角形に限定されない。また、上記の実施形態のように建築物への照明だけではなく、例えば劇場、演芸場等内の壁面への照明であってもよい。
【００８４】
（変形例２）  
上記の実施形態では、２つ以上の絞り窓１７３ｂは、左側（すなわち照射面の右側の輪郭部分に対応する側）の絞り窓１７３ｂほど、左側の長さＨ１が長くなるように、配置されている。これに対し、本変形例では、例えば図１２に示すように、２以上の絞り窓１７３ｂは、複数の絞り窓１７３の縦横配列においてランダムに配置されている。したがって、本変形例では、複数の絞り窓１７３の縦横配列のうち、２以上の絞り窓１７３ｂがランダムに配置され、残りの位置に他の絞り窓１７３ａが配置される。その際、絞り窓１７３ｂの数は、任意に設定可能である。図１２では、一例として、絞り窓１７３ｂは９個で、他の絞り窓１７３ａは１３個である。
【００８５】
この構成によれば、照明対象物での照射面の右側の輪郭部分に、不規則に徐々に暗くなるぼかしを形成することができる。  
【００８６】
より詳細には、複数の絞り窓１７３は、絞り板１７１において、互いに重ならないようにずれて配置されている。この結果、個別の照射面は、左側の絞り窓１７３による個別の照射面ほど、照明対象物において、右側にずれている。その際、上記の構成のように、２つ以上の絞り窓１７３ｂは、複数の絞り窓１７３の縦横配列においてランダムに配置される。このため、このランダムな配置の効果により、２以上の絞り窓１７３ｂの各々による個別の照射面では、上記のように右側にずれる際のずれ量がランダムになる。この結果、照明対象物での照射面の右側の輪郭部分に、不規則に徐々に暗くなるぼかしを形成することができる。
【００８７】
なお、この効果は、絞りユニット１７と照明対象物との間隔が十分に短い場合（すなわち、絞り窓１７３の間のずれが、個別の照射面の間のずれに十分大きく寄与する場合）に、特に有効である。
【００８８】
（変形例３）  
上記の実施形態では、２以上の絞り窓１７３ｂは、左側（すなわち照射面の右側の輪郭部分に対応する側）の絞り窓１７３ｂほど、左側の長さＨ１が長くなるように、配置されている。これに対し、本変形例では、例えば図１３に示すように、２以上の絞り窓１７３ｂは、絞り板１７１における絞り窓１７３の縦横配置において左側の場所ＨＴ１に偏在するように配置される。したがって、本変形例では、絞り窓１７３の縦横配列のうち、左側の場所ＨＴ１に２以上の絞り窓１７３ｂが配置され、残りの場所に２以上の絞り窓１７３ａが配置されている。
【００８９】
左側の場所ＨＴ１とは、例えば、絞り窓１７３の縦横配列の左縁部分（例えば左側の３列）である。図１３では、一例として、２つ以上の絞り窓１７３ｂは８個で、他の絞り窓１７３ａは１４個である。
【００９０】
なお、左側の場所ＨＴ１を、上記のように左縁部分に限定するものではなく、例えば、絞り窓１７３の縦横配列の横幅全体のうち左端から１／４〜１／３までの範囲としてもよく、又は、絞り窓１７３の縦横配列の左側半分としてもよい。
【００９１】
なお、本変形例において、２つ以上の絞り窓１７３ｂは、上記の実施形態の場合と同様に、互いに左側の長さＨ１が異なる絞り窓を含んでもよい。この場合、２以上の絞り窓１７３ｂは、左側の絞り窓１７３ｂほど左側の長さＨ１が長くなるように配置されてもよく、又は、２以上の絞り窓１７３ｂの配置においてランダムに配置されてもよい。
【００９２】
本変形例によれば、照明対象物での照射面の右側の輪郭部分だけを効果的にぼかすことができる。
【００９３】
より詳細には、複数の絞り窓１７３は、絞り板１７１において、互いに重ならないように縦横にずれて配置されている。この結果、個別の照射面は、左側の絞り窓１７３による個別の照射面ほど、照明対象物において、右側にずれている。その際、上記の構成のように、２以上の絞り窓１７３ｂは、絞り窓１７３の縦横配列において左側の配置ＨＴ１に偏在するように配置されている。このため、個別の照射面のうち、２以上の絞り窓１７３ｂによる個別の照射面が、照明対象物での照射面の右側の端部に効果的に寄与する。この結果、照明対象物での照射面の右側の輪郭部分を効果的にぼかすことができる。
【００９４】
なお、この効果は、絞りユニット１７と照明対象物との間隔が十分に短い場合（すなわち、絞り窓１７３の間のずれが、個別の照射面の間のずれに十分大きく寄与する場合）に、特に有効である。
【００９５】
（変形例４）  
上記の実施形態では、絞り板１７１は１つの部材で形成されている。これに対し、本変形例では、図１４Ａ及び図１４Ｂに示すように、絞り板１７１は、第１絞り板１７５（第１部材）及び第２絞り板１７６（第２部材）が互いに重ね合わされて構成される。
【００９６】
より詳細には、図１４Ａに示すように、本変形例の絞りユニット１７は、第１絞り板１７５と第２絞り板１７６とを備えている。第１絞り板１７５と第２絞り板１７６とは、いずれも略矩形の板状部材であり、互いに同形状で同寸法の板材から形成されている。したがって、第１絞り板１７５と第２絞り板１７６とを互いに重ね合わせることで、あたかも１枚の板状の部材となるような一体感を出すことができる（図１４Ｂ参照）。
【００９７】
第１絞り板１７５は、複数の第１貫通孔１７５０を有している。複数の第１貫通孔１７５０は、複数のＬＥＤ１００に一対一に対応し、対応するＬＥＤ１００の光軸方向（すなわち前後方向）に沿って貫通する。つまり、第１貫通孔１７５０は、複数（ＬＥＤ１００と同数）設けられている。複数の第１貫通孔１７５０は、第１絞り板１７５において、互いに間隔を空けて縦横に（例えば千鳥配列となるように）配置されている。第２絞り板１７６は、複数の第２貫通孔１７６０を有している。複数の第２貫通孔１７６０は、複数のＬＥＤ１００に一対一に対応し、対応するＬＥＤ１００の光軸方向に沿って貫通する。つまり、第２貫通孔１７６０は、複数（例えばＬＥＤ１００と同数）が設けられている。複数の第２貫通孔１７６０は、第２絞り板１７６において、互いに間隔を空けて縦横に（例えば千鳥配列となるように）配置されている。
【００９８】
そして、同じＬＥＤ１００に対応する第１貫通孔１７５０の一部と第２貫通孔１７６０の一部とが光軸方向に沿って重なった部分が、絞り窓１７３を構成する。本変形例では、絞り窓１７３は、多角形（例えば二等辺三角形又は四角形）に形成されている。複数の絞り窓１７３は、絞り窓１７３の縦横配列において、左側（すなわち照射面の右側の輪郭部分に対応する側）の絞り窓１７３ほど左側の長さＶ１（図１５Ｂ〜図１５Ｄ参照）が短くなっている。
【００９９】
以下、第１貫通孔１７５０、第２貫通孔１７６０、及び絞り窓１７３について詳しく説明する。  
【０１００】
図１４Ａに示すように、複数の第１貫通孔１７５０は、全て、前後方向に沿って見たときに、左右方向に長尺の五角形に形成された輪郭を有している。複数の第１貫通孔１７５０は、全て、同形状で同寸法の五角形である。
【０１０１】
図１５Ａに示すように、第１貫通孔１７５０の上記の五角形は、例えば、上側に凸となる扁平なホームベース形の五角形である。上記の五角形の下半部分は、扁平な四角形を構成しており、上記の五角形の上半部分は、扁平な二等辺三角形を構成している。第１貫通孔１７５０の上半部分（二等辺三角形部分）の中心が、対応するＬＥＤ１００の光軸が通過する基準位置Ｐ１である。上記の五角形の５つの内角α１〜α５は、全て９０度以上であって鋭角ではない。したがって、第１絞り板１７５の製造時又は製造工程において、第１貫通孔１７５０は、比較的容易に形成可能である。
【０１０２】
図１４Ａに示すように、複数の第２貫通孔１７６０は、全て、左右方向に長尺の矩形に形成された輪郭を有している。複数の第２貫通孔１７６０は、光軸方向に沿って見て、複数の第１貫通孔１７５０に対して、それぞれ一対一に、互いの一部同士が重なるように対向している。上記の左右方向に長尺の矩形の４つの内角β１〜β４は、全て９０度であって鋭角ではない。したがって、第２絞り板１７６の製造時又は製造工程において、第２貫通孔１７６０は、比較的容易に形成可能であると言える。
【０１０３】
複数の第２貫通孔１７６０の各々は、左右方向に長尺の矩形である。図１５Ｂ〜図１５Ｄに示すように、複数の第２貫通孔１７６０の各々の上下方向の長さＵ０は、互いに同じ長さであり、第１貫通孔１７５０の上半部分（二等辺三角形部分）の上下方向の長さＳ０（図１５Ａ参照）と同じ長さである。複数の第２貫通孔１７６０の各々の右側の長さＶ２（図１５Ｂ〜図１５Ｄ参照）は、互いに同じ長さであり、第１貫通孔１７５０の右側の長さと同じ長さである。なお、第１貫通孔１７５０の右側の長さは、第１貫通孔１７５０の開口面おいて、基準位置Ｐ１から右側端部までの長さである。複数の第２貫通孔１７６０の各々の左側の長さＶ１は、第２貫通孔１７６０の縦横配列において、左側の第２貫通孔１７６０ほど短くなっている（図１５Ｂ〜図１５Ｄ参照）。
【０１０４】
例えば、図１５Ｂに示すように、第２貫通孔１７６０の縦横配列において、最右端列である１列目の第２貫通孔１７６０Ａの左側の長さＶ１は、第２貫通孔１７６０Ａの右側の長さＶ２と同じである。なお、これら左側の長さＶ１と右側の長さＶ２とを合わせた長さは、第１貫通孔１７５０の横方向の長さＴ０と同じ長さである。図１５Ｃに示すように、２列目の第２貫通孔１７６０Ｂの左側の長さＶ１は、１列目の第２貫通孔１７６０Ａの左側の長さＶ１よりも短くなっている（例えば少し短い）。図１５Ｄに示すように、３列目の第２貫通孔１７６０Ｃの左側の長さＶ１は、２列目の第２貫通孔１７６０Ｂの左側の長さＶ１よりも短くなっている（例えば少し短い）。同様に、Ｎ列目の第２貫通孔１７６０の左側の長さＶ１は、（Ｎ−１）列目の第２貫通孔１７６０の左側の長さＶ１よりも短くなっている。なお、Ｎは、４から５までの自然数である。なお、同じ列の第２貫通孔１７６０の形状は、互いに同じである。
【０１０５】
図１４Ａ及び図１４Ｂに示すように、第２絞り板１７６は、各第１貫通孔１７５０と第１貫通孔１７５０に対応する第２貫通孔１７６０との互いの一部同士が重なるように、第１絞り板１７５と対向して配置される。そして、当該一部同士が、ＬＥＤ１００から放射される光を絞るための絞り窓１７３を構成する。言い換えれば、第１絞り板１７５と第２絞り板１７６とを、光軸方向に沿って見てそれらの外周縁が一致するように重ね合わせることで、複数の絞り窓１７３が構成されるように、第１貫通孔１７５０及び第２貫通孔１７６０の位置関係が規定されている。
【０１０６】
図１４Ｂに示すように、複数の絞り窓１７３の各々は、光軸方向に沿って見たときに、少なくとも一部の内角が鋭角である幾何学形状を有している。本変形例では、複数の絞り窓１７３の各々は、二等辺三角形状又は四角形状を有している。
【０１０７】
より詳細には、図１６Ａ〜図１６Ｃに示すように、第１絞り板１７５と第２絞り板１７６とが重ね合わされて絞り板１７１が構成された状態では、対応する第１貫通孔１７５０と第２貫通孔１７６０とが、互いの基準位置Ｐ１を略一致させて重なり合う。この状態で、第１貫通孔１７５０の四角形部分（下半部分）は第２絞り板１７６で塞がれ、かつ、第１貫通孔１７５０の二等辺三角形部分（上半部分）は第２貫通孔１７６０と連通して開放される。この開放された部分によって、絞り窓１７３が構成される。
その際、図１６Ａに示すように、絞り窓１７３の縦横配列において、最右端列である１列目の絞り窓１７３Ａでは、第１貫通孔１７５０Ａの二等辺三角形部分の全体が第２貫通孔１７６０Ａによって開放される。この結果、１列目の絞り窓１７３Ａの開口面の形状は、二等辺三角形になる。
【０１０８】
また、図１６Ｂ及び図１６Ｃに示すように、２列目以降の絞り窓１７３Ｂ，１７３Ｃでは、後続列の絞り窓１７３ほど（すなわち左側の絞り窓１７３ほど）、第２貫通孔１７６０の左側の長さＶ１が短くなる。このため、２列目以降の絞り窓１７３Ｂ，１７３Ｃの第１貫通孔１７５０Ｂ，１７５０Ｃの二等辺三角形は、後続列の絞り窓１７３ほど、第２貫通孔１７６０Ｂ，１７６０Ｃによって、第１貫通孔１７５０Ｂ，１７５０Ｃの左端から右端に向かって徐々に塞がれる。この結果、２列目以降の絞り窓１７３Ｂ，１７３Ｃは、後続列の絞り窓１７３ほど、左側の長さＷ１が短くなった四角形となる。なお、左側の長さＷ１は、絞り窓１７３において基準位置Ｐ１から左側端部までの長さである。なお、このように形成された絞り窓１７３の開口面の形状は、開口面の内角の一部に鋭角を含む形状（すなわち複雑な幾何学形状）になっている。
【０１０９】
図１７に示すように、上述した絞り板１７１を備えた照明器具Ｙ１による照射面２４は、上述した複数の絞り窓１７３の各々による個別の照射面の重ね合わせによって、形成される。より詳細には、照射面２４は、１列目の絞り窓１７３Ａの開口面の形状（二等編三角形）が上下左右反転した形状に相似な形状に形成される。そして、照射面２４の輪郭のうちの右側の輪郭部分２４ａには、ぼかしが形成され、かつ、そのぼかしには、右側ほど徐々に暗くなるグラデーションが形成される。
【０１１０】
本変形例によれば、絞り窓１７３は、第１貫通孔１７５０の一部と第２貫通孔１７６０の一部とが光軸方向に沿って重なった部分により構成される。このため、絞り窓１７３の開口面の形状を、製造が容易でありながら、複雑な幾何学形状（例えば開口面の内角の一部に鋭角を含む形状）に形成することができる。
【０１１１】
（変形例５）  
また、本発明は、上記の実施形態及び変形例だけでなく、上記の実施形態及び変形例の組み合わせも含む。
【０１１２】
（７）注釈事項  
上記の実施形態及び変形例では、２つ以上の絞り窓１７３ｂにおいて、他の絞り窓１７３ａと比べて所定側（例えば左側）の長さを異ならせると、照射面の輪郭において絞り窓１７３の上記の所定側と反対側の輪郭部分がぼかされる。これは、照明装置Ｘ１のレンズ系（第１レンズ部材１１及び第２レンズ部材１３）によって、光源光による像の上下左右が反転するからである。なお、照明装置Ｘ１のレンズ系によって、光源光による像の上下左右が反転しない場合は、照射面の輪郭では、上記の所定側と同側（例えば左側）の輪郭部分がぼかされる。
【０１１３】
（８）利点  
以上説明したように、第１の態様に係る絞りユニット（１７）は、絞り板（１７１）を備える。絞り板（１７１）は、光源（１００）の光軸方向に沿って貫通した複数の絞り窓（１７３）を有する。複数の絞り窓（１７３）の各々の開口面において、光源（１００）の光軸が通過する基準位置（Ｐ１）から所定側の端部までの長さを所定側の長さ（Ｈ１）とする。複数の絞り窓（１７３）のうち、少なくとも１つの第１絞り窓（１７３ｂ）と他の第２絞り窓（１７３ａ）とでは、前記所定側の長さ（Ｈ１）が異なる。
【０１１４】
この構成によれば、複数の絞り窓（１７３）の各々による個別の照射面が、照明対象物において個別の照射面における基準位置に対応する位置を一致させた状態で重なり合うことで、照明対象物が照らされる。したがって、照明対象物での照射面（２０，２２）は、上記の個別の照射面の重ね合わせによって形成される。この発明では、複数の絞り窓（１７３）のうち、少なくとも１つの第１絞り窓（１７３ｂ）では、他の第２絞り窓（１７３ａ）と比べて、基準位置と所定側の端部との間の長さである所定側の長さ（Ｈ１）が異なる。このため、照明対象物での照射面（２０，２１）において、絞り窓（１７３）の上記の所定側の端部に対応する側（以下「対応側」と記載する。）の端部では、少なく１つの第１絞り窓（１７３ｂ）による個別の照射面と、他の第２絞り窓（１７３ａ）による個別の照射面とが互いにずれて、個別の照射面の重なり枚数が減少する。したがって、照明対象物での照射面（２０，２２）の輪郭のうち、対応側の輪郭部分では、他の側の輪郭部分と比べて、明るさが低下してぼかされる。すなわち、照明対象物での照射面（２０，２２）の輪郭のうち、所望側（すなわち対応側）の輪郭部分をぼかして、他の側の輪郭部分はシャープにすることができる。
【０１１５】
なお、上記の「対応側」とは、本発明の絞りユニット（１７）を備えた照明装置（Ｘ１）の光学系（１１，１３）が光源光の像の上下左右を反転しない場合は、絞り窓（１７３）の所定側と同側である。他方、上記の光学系（１１，１３）が光源光による像の上下左右を反転させる場合は、絞り窓（１７３）の所定側とは反対側である。
【０１１６】
第２の態様の絞りユニット（１７）では、上記の所定側とは、光源（１００）から放射されて複数の絞り窓（１７３）を透過した光が形成する照射面の輪郭のうち、照度が徐々に変化する側の輪郭部分に対応する側である。
【０１１７】
第３の態様の絞りユニット（１７）では、第１又は第２の態様において、第１絞り窓（１７３ｂ）は、２つ以上あり、２つ以上の第１絞り窓（１７３ｂ）は、互いに所定側の長さ（Ｈ１）が異なる絞り窓を含む。
【０１１８】
この構成によれば、照明対象物での照射面（２０，２２）の対応側の端部において、対応側に行くほど、個別の照射面の重なり枚数を徐々に減らすことができる。すなわち、照射面（２０，２１）の所望側（すなわち対応側）の輪郭部分に形成したぼかしに、グラデーションを付けることができる。
【０１１９】
第４の態様の絞りユニット（１７）では、第３の態様において、２つ以上の第１絞り窓（１７３ｂ）の各々の所定側の長さ（Ｈ１）は、複数の絞り窓（１７３）の配置における所定側の絞り窓（１７３ｂ）ほど長い。
【０１２０】
この構成によれば、照明対象物での照射面の対応側（すなわち絞り窓（１７３）の所定側に対応する側）の輪郭部分のぼかしに付けたグラデーションを、緩やかに変化させることができる。  
【０１２１】
より詳細には、この発明では、前提として、複数の絞り窓（１７３）は、絞り板（１７１）において、互いに重ならないようにずれて配置される。この結果、個別の照射面は、所定側の絞り窓（１７３）による個別の照射面ほど、照明対象物において、対応側にずれている。このずれに加えて、更に、上記の構成のように、２つ以上の第１絞り窓（１７３ｂ）の所定側の長さ（Ｈ１）が所定側の絞り窓（１７３ｂ）ほど長く形成されている。これにより、２つ以上の第１絞り窓（１７３ｂ）による個別の照射面は、所定側の第１絞り窓（１７３ｂ）による個別の照射面ほど、照明対象物において、より一層、対応側にずれている。したがって、照明対象物での照射面（２０，２２）の対応側の端部では、対応側ほど、個別の照射面の間のずれが、より一層大きくなる。この結果、上記のグラデーションを、緩やかに変化させることができる。  
【０１２２】
なお、この効果は、絞りユニット（１７）と照明対象物との間隔が十分に短い場合（すなわち、絞り窓（１７３）の間のずれが、個別の照射面の間のずれに十分大きく寄与する場合）に、特に有効である。
【０１２３】
第５の態様の絞りユニット（１７）では、第３の態様において、２つ以上の第１絞り窓（１７３ｂ）は、絞り板における複数の絞り窓（１７３）の配置においてランダムに配置されている。
【０１２４】
この構成によれば、照明対象物での照射面（２０，２２）の対応側（すなわち絞り窓（１７３）の所定側に対応する側）の輪郭部分に、不規則に徐々に暗くなるぼかしを形成することができる。  
【０１２５】
より詳細には、この発明では、前提として、複数の絞り窓（１７３）は、絞り板（１７１）において、互いに重ならないようにずれて配置される。この結果、個別の照射面は、所定側の絞り窓（１７３）による個別の照射面ほど、照明対象物において、対応側にずれている。その際、上記の構成のように、２つ以上の第１絞り窓（１７３ｂ）は、複数の絞り窓（１７３）の配置においてランダムに配置されている。このため、このランダムな配置の効果により、２つ以上の第１絞り窓（１７３ｂ）の各々による個別の照射面では、上記のように対応側にずれる際のずれ量がランダムになる。この結果、照明対象物での照射面（２０，２２）の対応側の輪郭部分に、不規則に徐々に暗くなるぼかしを形成することができる。
【０１２６】
なお、この効果は、絞りユニット（１７）と照明対象物との間隔が十分に短い場合（すなわち、絞り窓（１７３）の間のずれが、個別の照射面の間のずれに十分大きく寄与する場合）に、特に有効である。
【０１２７】
第６の態様の絞りユニット（１７）では、第１〜第５のいずれか１つの態様において、少なくとも１つの第１絞り窓（１７３ｂ）は、絞り板（１７１）における絞り窓（１７３）の配置において所定側の場所（ＨＴ１）に偏在するように配置されている。
【０１２８】
この構成によれば、照明対象物での照射面の対応側の輪郭部分を効果的にぼかすことができる。  
【０１２９】
より詳細には、この発明では、前提として、複数の絞り窓（１７３）は、絞り板（１７１）において、互いに重ならないようにずれて配置される。この結果、個別の照射面は、所定側の絞り窓による個別の照射面ほど、照明対象物において、対応側にずれている。その際、上記の構成のように、少なくとも１つの第１絞り窓（１７３ｂ）は、絞り板（１７１）における複数の絞り窓（１７３）の配置において所定側の場所（ＨＴ１）に偏在するように配置されている。このため、個別の照射面のうち、少なくとも１つの第１絞り窓（１７３ｂ）による個別の照射面が、照明対象物での照射面（２０，２２）の対応側の端部に効果的に寄与する。この結果、照明対象物での照射面（２０，２２）の対応側の端部を効果的にぼかすことができる。
【０１３０】
なお、この効果は、絞りユニット（１７）と照明対象物との間隔が十分に短い場合（すなわち、絞り窓（１７３）の間のずれが、個別の照射面の間のずれに十分大きく寄与する場合）に、特に有効である。
【０１３１】
第７の態様の絞りユニット（１７）では、第１〜第６の態様において、絞り板（１７１）は、１つの部材で構成されている。  
【０１３２】
この構成によれば、絞り板（１７１）の部品数を減らすことができる。この結果、コスト及び製造工程を削減することができる。
【０１３３】
第８の態様の絞りユニット（１７）では、第１〜第６のいずれか１つの態様において、絞り板（１７１）は、第１部材（１７５）と第２部材（１７６）とを備える。第１部材（１７５）は、光源（１００）の光軸方向に沿って貫通した第１貫通孔（１７５０）を有する。第２部材（１７６）は、光軸方向に沿って貫通した第２貫通孔（１７６０）を有し、第１貫通孔（１７５０）の一部と第２貫通孔（１７６０）の一部とが光軸方向に沿って重なるように、第１部材（１７５）と対向して配置される。絞り窓（１７３）は、第１貫通孔（１７５０）の一部と第２貫通孔（１７６０）の一部とが光軸方向に沿って重なった部分により構成される。
【０１３４】
この構成によれば、絞り窓（１７３）は、第１貫通孔（１７５０）の一部と第２貫通孔（１７６０）の一部とが光軸方向に沿って重なった部分により構成される。このため、絞り窓（１７３）の開口面の形状を、製造が容易でありながら、複雑な幾何学形状（例えば開口面の内角の一部に鋭角を含む形状）に形成することができる。
【０１３５】
第９の態様の照明器具（Ｙ１）では、第１〜第８のいずれか１つに記載の絞りユニット（１７）と、光源（１００）と、を備える。  
【０１３６】
この構成によれば、上記の絞りユニット（１７）の効果を奏する照明器具（Ｙ１）を提供することができる。
【符号の説明】
【０１３７】
２  器具本体
１７  絞りユニット
２０，２２，２４  照射面
１００  光源
１７１  絞り板
１７３  絞り窓
１７３ａ  他の絞り窓（第２絞り窓）
１７３ｂ  ２つ以上の絞り窓（第１絞り窓）
１７５  第１絞り板（第１部材）
１７６  第２絞り板（第２部材）
１７５０  第１貫通孔
１７６０  第２貫通孔
Ｈ１  左側の長さ（所定側の長さ）
ＨＴ１  右側の配置（所定側の配置）
Ｐ１  基準位置
Ｙ１  照明器具
【図１】
2019140035.tif 000003
【図２】
2019140035.tif 000004
【図３】
2019140035.tif 000005
【図４】
2019140035.tif 000006
【図５】
2019140035.tif 000007
【図６】
2019140035.tif 000008
【図７】
2019140035.tif 000009
【図８】
2019140035.tif 000010
【図９】
2019140035.tif 000011
【図１０】
2019140035.tif 000012
【図１１】
2019140035.tif 000013
【図１２】
2019140035.tif 000014
【図１３】
2019140035.tif 000015
【図１４】
2019140035.tif 000016
【図１５】
2019140035.tif 000017
【図１６】
2019140035.tif 000018
【図１７】
2019140035.tif 000019